(57)【要約】【課題】フレキシブルディスプレイにおいて、配線部材によるデッドスペースを削減し、省スペースな表示装置を提供すること。【解決手段】可撓性基板１００上の第一電極１０２、第二電極１０８の間に少なくとも光機能層が挟持され、両電極の交点が表示部１２４を有する。表示部１２４上には絶縁性封止膜１１０が形成され、可撓性基板１００上の周縁部において隣接する第一の辺の側と第二の辺の側のうち、第一電極１０２は第一の辺の側で第一可撓性配線部材１１２と接続され、第二電極１０８は第二の辺の側で絶縁性封止膜１１０上の配線電極１２６と接続され、配線電極１２６は絶縁性封止膜１１０上で第一の辺の側に引き回され、絶縁性封止膜１１０上で第二可撓性配線部材１１４と接続され、第一可撓性配線部材１１２の第一接続部１２８と第二可撓性配線部材１１４の第二接続部１３０を有する。【選択図】図1
2008147073.tif 000002
【特許請求の範囲】
【請求項１】
矩形状の可撓性基板上に交差するように配設された第一電極、第二電極の少なくとも二つの異なる方向のライン電極を有し、前記第一電極と前記第二電極の間に少なくとも光機能層が挟持されてなり、前記両電極の交点が各々表示画素を形成する表示部を備え、前記表示部上には絶縁性封止膜が形成され、前記可撓性基板上の周縁部において隣接する第一の辺の側と第二の辺の側のうち、前記第一電極は第一の辺の側で第一可撓性配線部材と接続され、前記第二電極は第二の辺の側で前記絶縁性封止膜上に形成された配線電極と接続され、該配線電極は前記絶縁性封止膜上で第一の辺の側に引き回され、前記絶縁性封止膜上の前記第一可撓性配線部材と矩形状の可撓性基板の同一の辺側で第二可撓性配線部材に接続され、第一可撓性配線部材の外部駆動部と接続するための第一の接続部と、第二可撓性配線部材の外部駆動部と接続するための第二の接続部がそれぞれ前記可撓性基板の同一の辺の側に配設されていることを特徴とする表示装置。
【請求項２】
可撓性基板上の第二の辺と対向する第三の辺との間の表示部の面上で第二電極が２分割されて、第二電極と第三電極を構成し、前記可撓性基板上の前記第一電極は前記可撓性基板上の周縁部のうち第一の辺の側で第一可撓性配線部材と接続され、前記第二電極および前記第三電極はそれぞれ第二の辺の側と、第三の辺の側で絶縁性封止膜上に形成された第二配線電極と第三配線電極と接続され、前記第二配線電極と前記第三配線電極は前記絶縁性封止膜上で第一の辺の側に引き回され、それぞれ前記絶縁性封止膜上で、前記第一可撓性配線部材と矩形状の可撓性基板の同一の辺側で、第二可撓性配線部材、第三可撓性配線部材と接続され、第一可撓性配線部材の外部駆動部と接続するための第一の接続部と、第二可撓性配線部材の外部駆動部と接続するための第二の接続部と、第三可撓性配線部材の外部駆動部と接続するための第三の接続部がそれぞれ前記可撓性基板の同一の辺の側に配設されていることを特徴とする請求項1に記載の表示装置。
【請求項３】
前記第二配線電極と前記第三配線電極が共に第二可撓性配線部材に前記絶縁性封止膜上の前記第一可撓性配線部材と矩形状の可撓性基板の同一の辺の側で接続され、前記第一可撓性配線部材の第一接続部と矩形状の可撓性基板の同一の辺の側で記第二可撓性配線部材の第二接続部を有することを特徴とする請求項２に記載の表示装置。
【請求項４】
矩形状の可撓性基板上に第四電極を有し、前記第四電極は前記可撓性基板上の第一の辺と対向する第四の辺との間の表示部の面上で第一電極が２分割されて、第一電極と第四電極を構成し、前記可撓性基板上の前記第一電極は前記可撓性基板上の周縁部のうち第一の辺の側で第一可撓性配線部材と接続され、前記第四電極および前記第二電極はそれぞれ第四の辺の側と、第二の辺の側で絶縁性封止膜上に形成された第四配線電極と第二配線電極と接続され、前記第四配線電極と前記第二配線電極は前記絶縁性封止膜上で第一の辺の側に引き回され、それぞれ前記絶縁性封止膜上で、前記第一可撓性配線部材と矩形状の可撓性基板の同一の辺の側で第四可撓性配線部材、第二可撓性配線部材と接続され、前記第一可撓性配線部材と矩形状の可撓性基板の同一の辺の側に配設され、外部駆動部と接続するための前記第一可撓性配線部材の第一接続部と前記第四可撓性配線部材の第四接続部、前記第二可撓性配線部材の第二接続部がそれぞれ前記可撓性基板の同一の辺の側に配設されていることを特徴とする請求項１に記載の表示装置。
【請求項５】
前記第四配線電極と前記第二配線電極が共に第二可撓性配線部材に、前記絶縁性封止膜上の前記第一可撓性配線部材と矩形状の可撓性基板の同一の辺側で接続され、前記第一可撓性配線部材の第一接続部と矩形状の可撓性基板の同一の辺側に前記第二可撓性配線部材を有することを特徴とする請求項４に記載の表示装置。
【請求項６】
前記配線電極が形成された表示部上を絶縁性を持つ封止膜で封止されていることを特徴とする請求項１乃至請求項５のいずれか１項に記載の表示装置。
【請求項７】
前記表示装置がパッシブマトリクス駆動により制御されていることを特徴とする請求項１乃至請求項６のいずれか１項に記載の表示装置
【請求項８】
前記光機能層が発光層を含む有機化合物により形成されている有機ＥＬ素子であることを特徴とする請求項１乃至請求項７のいずれか１項に記載の表示装置。
【請求項９】
前記絶縁性の封止膜および前記絶縁性の封止膜上に形成された配線電極が透明電極で配線されていることを特徴とする請求項１乃至請求項８のいずれか１項に記載の表示装置。
【発明の詳細な説明】
【技術分野】
【０００１】
本発明はフレキシブルな基板上に形成される機能素子を有する表示装置に関する。より詳細にはパッシブマトリックス駆動型に好適な表示装置に関する。
【背景技術】
【０００２】
次世代ディスプレイ、次世代デバイスとして透明且つフレキシブルな基板上に透明電極、有機発光素子あるいは液晶素子といった光機能層と背面電極を積層し、複数の画素を形成することで実現されるペーパーライクなフレキシブルディスプレイ、フレキシブル照明が注目を集めいている。フレキシブルディスプレイに期待される機能として、薄型・軽量で手軽に持ち運びができ、丸めて見たいときにのみ広げて見ることができることなどが挙げられる。このことを実現するためには、フレキシブル基板、表示画素の強度、耐久性、省スペースなどが要求されている。
【０００３】
特許文献１および２において、省スペース化、軽量化への課題解決が記載されているが、従来、前記した課題が十分に解決できているとはいえない。フレキシブルディスプレイの駆動方法として、パッシブマトリクス駆動、アクティブマトリクス駆動の二通りが検討されているが、通常ＰＥＮ（Poly Ethylene Naphthalate）などのフレキシブル基板上に十分な性能をもったフレキシブルなＴＦＴ（Thin Film Transister）を作製することは厳しく、有力な駆動手段としてはパッシブマトリクス駆動が期待されている。ところが、パッシブマトリクス駆動で制御する場合、アクティブ駆動に比べ外部の駆動回路と接続される引出配線が多くなるため、デッドスペースを増やしてしまう難点がある。したがって、これらの配線を省スペース化する技術が求められている。
【０００４】
一方で、ディスプレイなどの表示パネルは、光機能層を交差する２つの電極である陰極と陽極に挟まれて形成される画素の集合体となっている。二つの電極が交差する構造ゆえ、例えば矩形型のパネルであれば必然的に隣り合う二辺から電極を引き出し、ＦＰＣ（Flexible Print Cercuit）などを用いて駆動部と接続し、制御することとなる。パッシブマトリックス駆動はフレキシブルディスプレイの有力な制御法であるが、制御のための引き出し配線が非常に多いため、配線部に多くのスペースをとってしまうことが欠点として挙げられる。
【０００５】
フレキシブルディスプレイの実現には表示部以外の部分の占める面積を最低限に抑えることは必須であり、配線部分をいかに小さいスペースにするかは重要な課題である。
【特許文献１】特開２００２−８２６２７
【特許文献２】特開２００３−１７２４５
【発明の開示】
【発明が解決しようとする課題】
【０００６】
本発明の目的は、フレキシブルディスプレイの実現に向け前記した問題点を解決し、デッドスペースの少ない可撓性表示装置を提供することにある。
【課題を解決するための手段】
【０００７】
前記課題を解決するための手段は以下の通りである。
＜１＞    矩形状の可撓性基板上に交差するように配設された第一電極、第二電極の少なくとも二つの異なる方向のライン電極を有し、前記第一電極と前記第二電極の間に少なくとも光機能層が挟持されてなり、前記両電極の交点が各々表示画素を形成する表示部を備え、前記表示部上には絶縁性封止膜が形成され、前記可撓性基板上の周縁部において隣接する第一の辺の側と第二の辺の側のうち、前記第一電極は第一の辺の側で第一可撓性配線部材と接続され、前記第二電極は第二の辺の側で前記絶縁性封止膜上に形成された配線電極と接続され、該配線電極は前記絶縁性封止膜上で第一の辺の側に引き回され、前記絶縁性封止膜上の前記第一可撓性配線部材と矩形状の可撓性基板の同一の辺側で第二可撓性配線部材に接続され、第一可撓性配線部材の外部駆動部と接続するための第一の接続部と、第二可撓性配線部材の外部駆動部と接続するための第二の接続部がそれぞれ前記可撓性基板の同一の辺の側に配設されていることを特徴とする表示装置。
【０００８】
本発明は、矩形状の可撓性基板上に交差するように配設された第一電極、第二電極の少なくとも二つの方向のライン電極を有し、前記第一電極と前記第二電極の間に少なくとも光機能層が挟持されてなり、前記両電極の交点が各々表示画素を形成する表示部を有する表示装置において前記表示部上には絶縁性封止膜が形成され、前記可撓性基板上の周縁部において隣接する第一の辺の側と第二の辺の側のうち、前記第一電極は第一の辺の側で第一可撓性配線部材と接続され、前記第二電極は第二の辺の側で前記絶縁性封止膜上に形成された配線電極と接続され、前記配線電極は前記絶縁性封止膜上で第一の辺の側に引き回され、前記絶縁性封止膜上で第二可撓性配線部材と接続され、前記第一可撓性配線部材と
矩形状の可撓性基板の同一の辺側に、二つの可撓性配線部材の接続部を配設し、外部と接続することを可能としている。これにより、フレキシブルフレキシブルディスプレイにおいて配線の取り出しを一辺のみにできるために基板のデッドスペースが小さくなり、特に手に持って使用するような用途のディスプレイにおいて有効である。
【０００９】
＜２＞  可撓性基板上の第二の辺と対向する第三の辺との間の表示部の面上で第二電極が２分割されて、第二電極と第三電極を構成し、前記可撓性基板上の前記第一電極は前記可撓性基板上の周縁部のうち第一の辺の側で第一可撓性配線部材と接続され、前記第二電極および前記第三電極はそれぞれ第二の辺の側と、第三の辺の側で絶縁性封止膜上に形成された第二配線電極と第三配線電極と接続され、前記第二配線電極と前記第三配線電極は前記絶縁性封止膜上で第一の辺の側に引き回され、それぞれ前記絶縁性封止膜上で、前記第一可撓性配線部材と矩形状の可撓性基板の同一の辺側で、第二可撓性配線部材、第三可撓性配線部材と接続され、第一可撓性配線部材の外部駆動部と接続するための第一の接続部と、第二可撓性配線部材の外部駆動部と接続するための第二の接続部と、第三可撓性配線部材の外部駆動部と接続するための第二の接続部がそれぞれ前記可撓性基板の同一の辺の側に配設されていることを特徴とする＜１＞に記載の表示装置。
【００１０】
本発明は、矩形状の可撓性基板上に第三電極を有し、前記第三電極は可撓性基板上の第二の辺と対向する第三の辺との間の表示部の面上で第二電極が２分割されて、それぞれ新たに第二電極と第三電極となっており、前記可撓性基板上の前記第一電極は前記可撓性基板上の周縁部のうち、第一の辺の側で第一可撓性配線部材と接続され、前記第二電極および前記第三電極はそれぞれ第二の辺の側と、第三の辺の側で絶縁性封止膜上に形成された第二配線電極と第三配線電極と接続され、前記第二配線電極と前記第三配線電極は前記絶縁性封止膜上で第一の辺の側に引き回され、前記絶縁性封止膜上でそれぞれ第二可撓性配線部材、第三可撓性配線部材と接続され、前記第一可撓性配線部材と同一の側に、三つの可撓性配線部材の接続部を配設し、外部と接続することを可能としている。これにより、フレキシブルフレキシブルディスプレイにおいて配線の取り出しを可撓性基板の一辺側にのみにできるために表示装置を二系統で駆動するような場合において基板のデッドスペースが小さくなり、手に持って使用するような用途のディスプレイにおいて有効である。
【００１１】
＜３＞  前記第二配線電極と前記第三配線電極が共に第二可撓性配線部材に前記絶縁性封止膜上の前記第一可撓性配線部材と矩形状の可撓性基板の同一の辺の側で接続され、前記第一可撓性配線部材の第一接続部と矩形状の可撓性基板の同一の辺の側で記第二可撓性配線部材の第二接続部を有することを特徴とする＜２＞に記載の表示装置。
【００１２】
本発明は第二配線電極および第三配線電極を共に第二可撓性配線部材に接続することにより、第三可撓性配線部材を削減でき製造工程の簡素化や、第三可撓性配線部材によるデッドスペースの削減、が可能となる。
【００１３】
＜４＞  矩形状の可撓性基板上に第四電極を有し、前記第四電極は前記可撓性基板上の第一の辺と対向する第四の辺との間の表示部の面上で第一電極が２分割されて、第一電極と第四電極を構成し、前記可撓性基板上の前記第一電極は前記可撓性基板上の周縁部のうち第一の辺の側で第一可撓性配線部材と接続され、前記第四電極および前記第二電極はそれぞれ第四の辺の側と、第二の辺の側で絶縁性封止膜上に形成された第四配線電極と第二配線電極と接続され、前記第四配線電極と前記第二配線電極は前記絶縁性封止膜上で第一の辺の側に引き回され、それぞれ前記絶縁性封止膜上で、前記第一可撓性配線部材と矩形状の可撓性基板の同一の辺の側で第四可撓性配線部材、第二可撓性配線部材と接続され、前記第一可撓性配線部材と矩形状の可撓性基板の同一の辺の側に配設され、外部駆動部と接続するための前記第一可撓性配線部材の第一接続部と前記第四可撓性配線部材の第四接続部、前記第二可撓性配線部材の第二接続部がそれぞれ前記可撓性基板の同一の辺の側に配設されていることを特徴とする＜１＞に記載の表示装置。
【００１４】
本発明は、矩形状の可撓性基板上に第四電極を有し、前記第四電極は前記可撓性基板上の第一の辺と対向する第四の辺との間の表示部の面上で第一電極が２分割されて新たに第一電極と第四電極となっていて、前記可撓性基板上の前記第一電極は前記可撓性基板上の周縁部のうち第一の辺の側で第一可撓性配線部材と接続され、前記第四電極、前記第二電極はそれぞれ表示部上に形成された絶縁膜上の第四配線電極、第二配線電極と接続され、共に絶縁膜上で隣接する第一の辺の側に引き回され、前記絶縁膜上の第一の辺の側でそれぞれ第四可撓性配線部材、第二可撓性配線部材に接続され、第一の辺の側で外部駆動部と接続することを可能としている。これにより、フレキシブルフレキシブルディスプレイにおいて配線の取り出しを可撓性基板の同一の辺の側にのみにできるため、特に表示装置を二系統で駆動するような場合において基板のデッドスペースが小さくなり、手に持って使用するような用途のディスプレイにおいて有効である。
【００１５】
＜５＞    前記第四配線電極と前記第二配線電極が共に第二可撓性配線部材に、前記絶縁性封止膜上の前記第一可撓性配線部材と矩形状の可撓性基板の同一の辺側で接続され、前記第一可撓性配線部材の第一接続部と矩形状の可撓性基板の同一の辺側に前記第二可撓性配線部材を有することを特徴とする＜１＞に記載の表示装置。
【００１６】
本発明は第四配線電極および第二配線電極を共に第二可撓性配線部材に接続することにより、第四可撓性配線部材を削減でき製造工程の簡素化や、第四可撓性配線部材によるデッドスペースの削減が可能となる。
【００１７】
＜６＞  前記配線電極が形成された表示部上を絶縁性を持つ封止膜で封止されていることを特徴とする＜１＞から＜５＞のいずれかに記載の表示装置。
【００１８】
絶縁性を持つ封止膜で封止することによって表示パネルを大気中の酸素や水分等から封止し、表示部を保護することができる。
【００１９】
＜７＞  前記表示装置がパッシブマトリクス駆動により制御されていることを特徴とする＜１＞から＜４＞のいずれかの表示装置。
【００２０】
パッシブマトリクス駆動においては取り出し配線が多くデッドスペースが多くなってしまうため、本発明はパッシブマトリクス駆動においてより有効である。
【００２１】
＜８＞  前記光機能層が発光層を含む有機化合物により形成されている有機ＥＬ素子であることを特徴とする＜１＞から＜５＞のいずれかに記載の表示装置。
【００２２】
有機ＥＬ素子は上下電極間に有機機能層を挟みこむ構成であるため、本発明が有効である。
【００２３】
＜９＞  前記絶縁性の封止膜および前記絶縁性の封止膜上に形成された配線電極が透明電極で配線されていることを特徴とする＜１＞から＜６＞のいずれかに記載の表示装置
【００２４】
本発明により、トップエミッション型、両面発光型の光機能性素子を有する表示装置の作製を可能にした。
【発明の効果】
【００２５】
本発明によれば、可撓性基板上に形成された表示装置において、表示部上に絶縁性封止膜を成膜し、前記絶縁性封止膜上に配線電極を形成し、可撓性基板上の周縁部の隣接する第一辺と第二辺のうち、前記第二辺の側の電極を前記配線電極に接続し、前記絶縁性封止膜上で第一辺の側に引き回し第二可撓性配線部材と接続することで、第一可撓性配線部材と同様に前記可撓性基板の第一辺の端部から突出させて、二つの可撓性配線部材を同一方向で接続することを可能とすることで、可撓性配線部材が可撓性基板の１辺側にまとめることができ、空間的に表示部以外の無駄なスペースをなくすことができる。
【発明を実施するための最良の形態】
【００２６】
以下、図面を参照して本発明の実施の形態を説明する。
＜第一実施形態＞
図１（Ａ）は、本発明の第一の実施形態を示す平面図である。図１（Ｂ）は（Ａ）のI−I線に沿う断面図、図２は図１（Ａ）の配線を展開して示す説明図である。
【００２７】
可撓性基板１００上に、第一電極１０２が短冊状に複数列配されている。第一電極上には光機能としての有機化合物による有機層１０６が積層されている。有機層１０６の上には第二電極１０８が有機層１０６を挟むように第一電極１０２とは交差する方向に短冊状に配設されている。第一電極１０２と第二電極１０８の矩形状の交点一つずつが表示画素１１８を形成しており、これらの表示画素１１８の複数の集合体として表示部１２４となっている。これらの表示部１２４の上部はさらに絶縁性封止膜１１０で覆われており、可撓性基板上の周縁部の第一電極の引き出し配線１２０および第二電極の引き出し配線１２２は絶縁性封止膜で覆われていない。絶縁性封止膜１１０上部には第二電極１０８からの引き出し配線１２２に接続された配線電極１２６が形成されている。配線電極１２６は絶縁性封止膜上で可撓性基板１００上の隣接する第一の辺と第二の辺のうち、第一辺の側に引き回され、絶縁性封止膜上で第二可撓性配線部材１１４に接続されている。第一電極１０２は表示部１２４の周縁部のうち可撓性基板１００上の第一辺の側で前記第一引き出し配線１２０に第一可撓性配線部材１１２と接続されている。
【００２８】
第一可撓性配線部材１１２は第一引き出し配線１２０と同一の方向に引き出され、可撓性基板１００から突出して、外部駆動回路との第一接続部１２８が配設されている。第二可撓性配線部材１１４は第一接続部１２８と同一の方向に可撓性基板１００から突出して外部駆動回路との第二接続部１３０が配設されている。図１（Ｂ）に示すように、絶縁性隔壁１０４が表示画素１１８間に配設され、各表示画素間は絶縁されている。なお、図２において、配線１１６は一部を省略して図示している。            
【００２９】
本発明の第一実施形態の作製法としては、例えば、低分子材料を用いて有機エレクトロルミネッセンスを用いた表示装置を形成する場合は、可撓性基板１００上にＩＴＯ等の透明な第一電極１０２を短冊状に形成し、洗浄後、転写等により絶縁性隔壁１０４を形成する。次いで、真空蒸着等により発光層等の有機層１０６を成膜し、さらにスパッタリングによりＩＴＯ等または、真空蒸着によりＡl等の第二電極１０８を形成する。一方、高分子系材料を用いて発光層等の有機層１０６を形成する場合には、塗布法、印刷法、インクジェット法などにより有機層を形成した後、スパッタリングによりＩＴＯ等または、真空蒸着によりＡl等の第二電極１０８を形成する。第一電極１０２および絶縁性隔壁１０４上に有機層１０６を形成し、さらに第二電極１０８を形成する。この上部にさらに絶縁性封止膜１１０をＣＶＤ等により形成し、絶縁性封止膜１１０上にスパッタリングによりＩＴＯ等または、真空蒸着によりＡl等の配線電極１２６を形成する。配線電極１２６を形成する際には、同時に第二引き出し配線と接続されるように形成する。第一引き出し配線１２２と第一可撓性配線部材１１２とが導通するように貼りあわせ、第二配線電極１２６と第二可撓性配線部材１１４とも導通するように貼り合わせた上で、さらにこの上部の表示部１２４上に再度、絶縁性封止膜１１０をＣＶＤ等により形成する。
【００３０】
第一可撓性配線部材１１２および第二可撓性配線部材１１４の第一接続部１２８および第二接続部１３０の配置態様は表示素子の積層方向に上下に重なる態様でもよく表示素子の積層方向と直交する方向に互いに平行に一列に並ぶ態様でもよい。
このようにフレキシブルディスプレイにおいて配線の取り出しを可撓性基板の１辺側にのみにできるために基板のデッドスペースが小さくなり、特に手に持って使用するような用途のディスプレイにおいて有効である。
【００３１】
＜第二実施形態＞
図３（Ａ）は、本発明の第二実施形態を示す平面図である。図３（Ｂ）は（Ａ）のIII−III線に沿う断面図、図４は図３（Ａ）の配線を展開して示す説明図である。
【００３２】
図３（Ａ）は、第一実施形態において、第二電極１０８を表示部上で２つに分割し、表示部１２４の駆動を第一実施形態においては１系統であるのに対して、第二実施形態では２系統としたものである。
【００３３】
可撓性基板２００上に、第一電極２０２が短冊状に複数列配されている。第一電極２０２上には光機能層としての有機化合物による有機層２０６が積層されている。有機層２０６の上には第二電極２０８又は第三電極２１０が有機層２０６を挟むように第一電極２０２とは交差する方向に短冊状に配設されている。第二電極２０８と第三電極２１０は、図４に示すように、第一電極２０２とは交差する方向にライン電極を形成していて、表示部２３０上において２分割されている。第一電極２０２と第二電極２０８又は第三電極２１０とは矩形状の交点一つずつが表示画素２２２を形成しており、これらの表示画素２２２の複数の集合体として表示部２３０となっている。
【００３４】
これらの表示部２３０の上部はさらに絶縁性の封止膜２１２で覆われているが、可撓性基板２００上の周縁部の第一電極２０２の第一引き出し配線２２４、第二電極の第二引き出し配線２２６および第三電極の第三引き出し配線２２８は絶縁性の封止膜で覆われていない。絶縁性封止膜２１２上部には第二電極２０８および第三電極２１０からの第二引き出し配線２２６および第三引き出し配線２２８に接続された第二配線電極２３２および第三配線電極２３４が形成されている。第二配線電極２３２および第三配線電極２３４は絶縁性封止膜２１２上で可撓性基板２００上の第一の辺と隣接する第二の辺、および第二の辺と対向する第三の辺から第一の辺の側に引き回され、絶縁性封止膜２１２上でそれぞれ第二可撓性配線部材２１６、第三可撓性配線部材２１８に接続されている。
【００３５】
図４に示すように、第一電極２０２は表示部２３０の周縁部のうち可撓性基板２００上の第一の辺の側で第一引き出し配線２２４に第一可撓性配線部材２１４と接続されている。第一可撓性配線部材２１４は第一引き出し配線２２４と同一の側に引き出され、可撓性基板２００から突出して、外部駆動回路との第一接続部２３６が配設されている。第二可撓性配線部材２１６および第三可撓性配線部材２１８はそれぞれ、第一接続部２３６と同一の側に可撓性基板２００から突出して外部駆動回路との第二接続部２３８および第三接続部２４０が配設されている。図３（Ｂ）に示すように、絶縁性隔壁２０４が表示画素２２２間に配設され、各表示画素間は絶縁されている。
【００３６】
本発明の第二の実施形態の作製法としては、第一の実施形態と基本的に同様であるが、第一の実施形態における第二電極１０８が表示部１２４上で２つに分割されるようにスパッタリングによりＩＴＯ等または、真空蒸着によりＡl等の第二電極２０８および第三電極２１０が形成される。この上部にさらに絶縁性封止膜２１２をＣＶＤ等により形成し、絶縁性封止膜２１２上にスパッタリングによりＩＴＯ等または、真空蒸着によりＡl等の第二配線電極２３２および第三配線電極２３４を形成する。第二配線電極２３２および第三配線電極２３４を形成する際には、同時にそれぞれ第二引き出し配線２２６および第三引出配線２２８と接続されるように形成する。さらに第二配線電極２３２および第三配線電極２３４と第二可撓性配線部材２１６および第三可撓性配線部材２１８とも導通するように絶縁性封止膜２１２上で貼り合わせた上で、さらにこの上部に再度、絶縁性封止膜２１２をＣＶＤ等により形成する。
【００３７】
第一可撓性配線部材２１４、第二可撓性配線部材２１６および可撓性配線部材２１８の第一接続部２３６、第二接続部２３８、第三接続部２４０の配置態様は表示素子の積層方向に上下に重なる態様でもよく表示素子の積層方向と直交する方向に互いに平行に一列に並ぶ態様でもよい。          
このように表示装置を２系統で駆動するフレキシブルディスプレイにおいても配線の取り出しを一辺のみにできるために基板のデッドスペースが小さくなり、特に手に持って使用するような用途のディスプレイにおいて有効である。
【００３８】
図５は本発明の第三実施形態を示す平面図である。
＜第三実施形態＞
図５は第二実施形態における第二配線電極２３２および第三配線電極２３４にそれぞれ接続された第二可撓性配線部材２１６および第三可撓性配線部材２１８の有する機能を第二可撓性配線部材３０２にまとめ、第二配線電極２３２および第三配線電極２３４の両者に接続したものである。
【００３９】
本発明は基本的には第二実施形態と同様の構成であるが、絶縁性封止膜２１２上に形成された第二配線電極２３２および第三配線電極２３４に、可撓性基板２００上の第一の辺と隣接する第二の辺と第二の辺と対向する第三の辺のうち第一の辺の側で、第二可撓性配線部材３０２に接続されている。
【００４０】
本発明の第三実施形態の作製法としては第二実施形態の作成法と基本的には同じである。絶縁性封止膜上に形成された第二配線電極および第三配線電極と第二可撓性配線部材の配線とがそれぞれ導通するように張り合わせる。
【００４１】
第一可撓性配線部材３００の第一接続部３０４および第二可撓性配線部材３０２の第二接続部３０６の配置態様は表示素子の積層方向に上下に重なる態様でもよく表示素子の積層方向と直交する方向に互いに平行に一列に並ぶ態様でもよい。
本発明は第二配線電極および第三配線電極を共に第二可撓性配線部材に接続することにより、第三可撓性配線部材を削減でき製造工程の簡素化や、第三可撓性配線部材によるデッドスペースの削減が可能となる。
【００４２】
図６（Ａ）は、本発明の第四実施形態を示す平面図である。図６（Ｂ）は（Ａ）のVI−VI線に沿う断面図、図７は図６（Ａ）の配線を展開して示す説明図である。
【００４３】
＜第四実施形態＞
図６（Ａ）は、第一実施形態において、第一電極１０２を表示部上で２つに分割し、表示部１２４の駆動を前記第一の実施形態においては１系統であるのに対して、本第四実施形態では２系統としたものである。
【００４４】
可撓性基板４００上に、第一電極４０２又は第四電極４０４が短冊状に複数列配されている。第一電極４０２又は第四電極４０４上には発光層を含む有機化合物による有機層４０８が積層されている。有機層４０８上には第二電極４１０が有機層４０８を挟むように第一電極４０２又は第四電極４０４とは交差する方向に短冊状に配設されている。第一電極４０２又は第四電極４０４は、図７に示すように、第二電極４１０とは交差する方向にライン電極を形成しており、表示部４３０上において２分割されている。第一電極４０２又は第四電極４０４と第二電極４１０とは矩形状の交点一つずつが表示画素４２２を形成しており、これらの表示画素４２２の複数の集合体として表示部４３０を構成している。
【００４５】
これらの表示部４３０の上部をさらに絶縁性封止膜４１２で覆われており、可撓性基板４００上の周縁部の第一電極４０２の第一引き出し配線４２４、第四電極の第四引き出し配線４２６および第二電極の第二引き出し配線４２８は絶縁性封止膜で覆われていない。絶縁性封止膜４１２上部には第四電極４０４からの第四引き出し配線４２６および前記第二電極４１０からの第二引き出し配線４２８に接続された第四配線電極４３２および第二配線電極４３４が形成されている。第四配線電極４３２および第二配線電極４３４は絶縁性封止膜４１２上で可撓性基板４００上の隣接する第一の辺と第二の辺および第一の辺と向かい合う第四の辺のうち、第一辺の側に引き回され、絶縁性封止膜４１２上でそれぞれ第四可撓性配線部材４１６および第二可撓性配線部材４１８に接続されている。なお、図６（A）において、第四配線電極４３２の一部は省略して図示している。
【００４６】
図７に示すように、第一電極４０２は表示部４３０の外周縁部のうち可撓性基板４００上の第一辺の側で第一引き出し配線４２４に第一可撓性配線部材４１４と接続されている。第一可撓性配線部材４１４は第一引き出し配線４２４と同一の方向に引き出され、可撓性基板４００から突出して、外部駆動回路との第一接続部４４０が配設されている。第二可撓性配線部材４１８は第一接続部４４０と同一の方向に前記可撓性基板４００から突出して外部駆動回路との第二接続部４３８が配設されている。図６（Ｂ）に示すように、絶縁性隔壁４０６が表示画素４２２間に配設され、各表示画素間は絶縁されている。
【００４７】
本発明の第四実施形態の作製法としては、第一実施形態と基本的に同様であるが、第一の実施形態における第一電極１０２が表示部１２４上で２つに分割されるようにスパッタリングによりＩＴＯ等または、真空蒸着によりＡl等の第一電極４０２および第四電極４０４が形成される。この上部にさらに絶縁性封止膜４１２をＣＶＤ等により形成し、絶縁性封止膜４１２上にスパッタリングによりＩＴＯ等または、真空蒸着によりＡl等の第四配線電極４３２および第二配線電極４３４を形成する。第四配線電極４３２および第二配線電極４３４を形成する際には、同時にそれぞれ第四引き出し配線４２６および第二引出配線４２８と接続されるように形成する。さらに第四配線電極４３２および第二配線電極４３４と第四可撓性配線部材４１６および第二可撓性配線部材４１８とも導通するように絶縁性封止膜４１２上で貼り合わせた上で、さらにこの上部に再度、絶縁性封止膜４１２をＣＶＤ等により形成する。
【００４８】
第一可撓性配線部材４１４、第四可撓性配線部材４１６および第二可撓性配線部材４１８の第一接続部４３６、第四接続部４３８および第二接続部４４０の配置態様は表示画素４３０の積層方向に上下に重なる態様でもよく表示画素の積層方向と直交する方向に互いに平行に一列に並ぶ態様でもよい。          
このように表示装置を２系統で駆動するフレキシブルディスプレイにおいても配線の取り出しを一辺のみにできるために基板のデッドスペースが小さくなり、特に手に持って使用するような用途のディスプレイにおいてメリットがある。
【００４９】
＜第五実施形態＞
図８は本発明の第五実施形態を示す平面図である。
図８は第四実施形態における第四配線電極４３２および第二配線電極４３４にそれぞれ接続された第四可撓性配線部材４１６および第二可撓性配線部材４１８の有する機能を第二可撓性配線部材５０２にまとめ、第四配線電極４３２および第二配線電極４３４の両者に接続されているものである。
【００５０】
本発明は基本的には第二実施形態と同様の構成であるが、絶縁性封止膜４１２上に形成された第四配線電極４３２および第二配線電極４３４に、可撓性基板４００上の第一の辺と隣接する第二の辺と第二の辺と対向する第三の辺のうち第一の辺の側で、第二可撓性配線部材５０２に接続されている。
【００５１】
本発明の第五実施形態の作製法としては第四の実施形態の作成法と基本的には同じである。異なる点としては、絶縁性封止膜４１２上に形成された第四配線電極４３２および第二配線電極４３４と第二可撓性配線部材５０２の配線とがそれぞれ導通するように張り合わせる。
【００５２】
第一可撓性配線部材５００の第一接続部５０４および第二可撓性配線部材５０２の第二接続部５０６の配置態様は表示素子の積層方向に上下に重なる態様でもよく表示素子の積層方向と直交する方向に互いに平行に一列に並ぶ態様でもよい。
本発明は第四配線電極および第二配線電極を共に第二可撓性配線部材に接続することにより、第四可撓性配線部材を削減でき製造工程の簡素化が可能となる。      
【００５３】
以下、第一実施形態１から第五実施の形態を例に説明した本発明の表示装置に共通する事項について更に説明する。
【００５４】
光機能層としては、有機ＥＬ素子、液晶素子、帯電した粒子を水平方向（面内方向）に移動させ水平移動型電気泳動素子、マイクロカプセル型電気泳動素子などが挙げられるが、有機ＥＬ素子、液晶素子が好適に用いられ、特に有機ＥＬ素子が好適に用いられる。
【００５５】
−可撓性基板−
表示装置における可撓性基板としては公知の材料から適宜選択することが出来るが、例えば、エンジニアリングプラスチック等の高分子フィルム、また、ステンレス等の金属ホイル等が挙げられる。エンジニアリングプラスチックとしては、例えば、ポリイミド、ポリエチレンテレフタレート、ポリエチレンナフタレート、ポリエーテルサルフォン、アクリロニトリル・ブタジエン・スチレン共重合体、塩化ビニル樹脂、フッ素樹脂、ポリアセタール樹脂、ポリアミド樹脂、熱可塑性ポリウレタンエラストマー、熱可塑性エラストマー、ポリエーテルエーテルケトン、ポリエチレン、ポリカーボネート、ポリスチレン等、さらに特開平９−１９５０号公報に記載の支持体等が挙げられる。特に、ポリエチレンナフタレート、ポリエーテルサルフォンを好適に用いることができる。
【００５６】
−保護フイルム−
本発明に適用される保護フイルムとしては公知の材料から適宜選択することが出来るが、例えば、エンジニアリングプラスチック等の高分子フィルム等が挙げられる。エンジニアリングプラスチックとしては、例えば、ポリイミド、ポリエチレンテレフタレート、ポリエチレンナフタレート、ポリエーテルサルフォン、アクリロニトリル・ブタジエン・スチレン共重合体、塩化ビニル樹脂、フッ素樹脂、ポリアセタール樹脂、ポリアミド樹脂、熱可塑性ポリウレタンエラストマー、熱可塑性エラストマー、ポリエーテルエーテルケトン、ポリエチレン、ポリカーボネート、ポリスチレン等、さらに特開平９−１９５０号公報に記載の支持体等が挙げられる。特に、ポリイミド、ポリエチレンナフタレート、ポリエーテルサルフォンを好適に用いることができる。
【００５７】
−可撓性配線部材−
本発明に適用される可撓性配線部材としては公知の材料から適宜選択することが出来るが、例えば、エンジニアリングプラスチック等の高分子フィルム等が挙げられる。エンジニアリングプラスチックとしては、例えば、ポリイミド、ポリエチレンテレフタレート、ポリエチレンナフタレート、ポリエーテルサルフォン、アクリロニトリル・ブタジエン・スチレン共重合体、塩化ビニル樹脂、フッ素樹脂、ポリアセタール樹脂、ポリアミド樹脂、熱可塑性ポリウレタンエラストマー、熱可塑性エラストマー、ポリエーテルエーテルケトン、ポリエチレン、ポリカーボネート、ポリスチレン等、さらに特開平９−１９５０号公報に記載の支持体等が挙げられる。特に、ポリイミド、ポリエチレンナフタレート、ポリエーテルサルフォンを好適に用いることができる。
また、可撓性配線部材面側に表示を示す場合は、上記の可撓性配線部材から透明な基板を適宜選択することにより表示が可能となる。
可撓性配線部材上の配線としては、公知の材料から適宜選択することが出来るが、例えば、アルミニウム、銅、金、銀、クロム、ITO（Indium Tin Oxide）等を用いることができる。特に、銅、銀を好適に用いることができる。
可撓性配線部材を基板に接着して引き出し配線と接続するには、公知の手法から適宜選択することが出来る。例えば、可撓性配線部材と基板上の引き出し配線との間にＡＣＦ（異方導電フィルム）を挟んで加熱圧着することによって接続することができる。
【００５８】
−表示部及び引き出し線に関する事項−
本発明の表示媒体における表示部は、少なくとも１つの画素を有しており、該表示部が有する電極から引き出し線が引き出される。
また、本発明においては、積層構造を構成する各表示素子における画素部を、表示素子毎にそれぞれ色相の異なるように構成することで、本発明の表示媒体を多色表示に対応させることもできる。
【００５９】
−接着層−
可撓性基板と保護フイルムとの接着層としては公知の材料から適宜選択することが出来るが、例えば、フェノールホルムアルデヒド、フェノールエラストマー、フェノールポリアミド、フェノールエポキシ、尿素ホルムアルデヒド、メラミンホルムアルデヒド、エポキシ樹脂、イソシアナート樹脂、フラン樹脂、レゾルシンホルムアルデヒド等の接着剤等を用いることができる。
【００６０】
−絶縁性封止膜−
本発明に適用される絶縁性封止膜は、積層構造の最上部に位置する表示素子上に、  引き出し線を露出させるように積層させるものである。絶縁性封止膜としては公知の材料から適宜選択することが出来るが、例えば窒化シリコン、窒化酸化シリコン、酸化シリコン、酸化アルミニウム等を用いることができる。
【００６１】
−電極―
本発明に適用される電極としては、公知の材料から適宜選択することが出来るが、金属電極、可視光の透過性に優れた透明電極、あるいは導電性化合物、等を用いることができる。金属電極としては、例えば、アルカリ金属（たとえば、Ｌｉ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、イッテルビウム等の希土類金属、などが挙げられる。これらは、１種単独で使用してもよいが、２種以上を好適に併用することができる。透明電極としては、例えば、ITO（Indium Tin Oxide）、ＳｎＯ２等の金属酸化物等を用いることができる。
【００６２】
−表示媒体−
本発明の表示装置は基板上に陰極と陽極を有し、両電極の間に有機発光層（以下、単に「発光層」と称する場合がある。）を含む有機化合物層を有する。発光素子の性質上、陽極及び陰極のうち少なくとも一方の電極は、透明であることが好ましい。
【００６３】
本発明の有機ＥＬ素子は、陽極側から発光を取り出す、所謂、ボトムエミッション方式であってもよく、また、陰極側から発光を取り出す、所謂、トップエミッション方式（特開２００３−２０８１０９号、同２００３−２４８４４１号、同２００３−２５７６５１号、同２００３−２８２２６１号の各公報などに記載）であってもよい。
【００６４】
本発明における光機能層における有機化合物層の積層の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。陽極と正孔輸送層との間に、正孔注入層を有してもよく、陰極と電子輸送層との間には、電子注入層を有してもよい。
【００６５】
前記正孔注入層あるいは正孔輸送層には、電子受容性ドーパントを含有させることができる。前記電子受容性ドーパントとしては、電子受容性で有機化合物を酸化する性質を有すれば、無機化合物でも有機化合物でも使用できる。
また、電子注入層あるいは電子輸送層には、電子供与性ドーパントを含有させることができる。前記電子供与性ドーパントとしては、電子供与性で有機化合物を還元する性質を有していればよく、アルカリ金属、アルカリ土類金属、希土類金属を含む遷移金属や還元性有機化合物などが好適に用いられる。
【００６６】
−有機発光層−
有機発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は、発光材料のみで構成されていても良く、ホスト材料と発光材料の混合層とした構成でも良い。発光材料は蛍光発光材料でも燐光発光材料であっても良く、発光材料は１種であっても２種以上であっても良い。ホスト材料は電荷輸送材料であることが好ましい。ホスト材料は１種であっても２種以上であっても良く、例えば、電子輸送性のホスト材料とホール輸送性のホスト材料を混合した構成が挙げられる。さらに、発光層中に電荷輸送性を有さず、発光しない材料を含んでいても良い。
また、発光層としては一層だけでも良く、また、第一発光層、第二発光層、第三発光層等に発光層を分割しても良い。さらに、各層は複数の二次層に分かれていてもよい。それぞれの層が同一色で発光してもよいし、異なる発光色で発光してもよい。
【００６７】
本発明に使用できる蛍光発光材料の例としては、特に制限はなく、公知のものから適宜選択することができる。例えば、特開２００４−１４６０６７号の[００５２］、特開２００４−１０３５７７号の［００５３］等に記載のものを挙げることができるが、本発明はこれに限定されない。
【００６８】
また、本発明に使用できる燐光発光材料は、特に制限はなく、公知のものから適宜選択することができる。例えば、特開２００４−２２１０６８号の［００５５］から［００５６］等に記載のものを挙げることができるが、本発明はこれに限定されない。
【００６９】
本発明の表示装置は、発光効率を向上させるため、複数の発光層の間に電荷発生層が設けた構成をとることができる。
前記電荷発生層は、電界印加時に電荷（正孔及び電子）を発生する機能を有すると共に、発生した電荷を電荷発生層と隣接する層に注入させる機能を有する層である。
【００７０】
前記電荷発生層を形成する材料は、上記の機能を有する材料であれば何でもよく、単一化合物で形成されていても、複数の化合物で形成されていてもよい。
具体的には、導電性を有するものであっても、ドープされた有機層のように半導電性を有するものであっても、また、電気絶縁性を有するものであってもよく、特開平１１−３２９７４８号、特開２００３−２７２８６０号、特開２００３−４５６７６号、特開２００４−３９６１７号、米国特許第６３３７４９２号、同第６１０７７３４号、同第６８７２４７２号に記載の材料が挙げられる。
【００７１】
本発明の表示装置を構成する各層は、蒸着法やスパッタ法等の乾式製膜法、ディッピング、スピンコ−ト法、ディップコ−ト法、キャスト法、ダイコ−ト法、ロ−ルコ−ト法、バ−コ−ト法、グラビアコ−ト法等の湿式製膜法等、公知の方法により好適に製膜することができる。
【００７２】
本発明の表示装置は、種々の公知の工夫により、光取り出し効率を向上させることができる。例えば、基板表面形状を加工する（例えば微細な凹凸パターンを形成する）、基板・ＩＴＯ層・有機化合物層の屈折率を制御する、基板・ＩＴＯ層・有機化合物層の膜厚を制御すること等により、光の取り出し効率を向上させ、外部量子効率を向上させることが可能である。
【００７３】
本発明の表示装置は、陽極と陰極との間に直流（必要に応じて交流成分を含んでもよい）電圧（通常２ボルト〜１５ボルト）、又は直流電流を印加することにより、発光を得ることができる。
本発明の表示装置の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【産業上の利用可能性】
【００７４】
本発明の表示媒体は、フレキシブルディスプレイ、フレキシブル照明、ウェアラブルディスプレイ等に好適にて適用される。
【図面の簡単な説明】
【００７５】
【図１】（Ａ）は本発明の第一実施形態１に係わる表示装置を示す平面図、（Ｂ）は図１（Ａ）中のI−I線に沿った断面図である。
【図２】本発明の第一実施形態に係わる表示装置の図１（Ａ）の配線を展開して示す説明図である。
【図３】（Ａ）は本発明の第二実施形態に係わる表示装置を示す平面図、（Ｂ）は本発明の第二実施形態に係わる図３（Ａ）中のIII−III線に沿った断面図である。
【図４】本発明の第二実施形態に係わる表示装置の図３（Ａ）の配線を展開して示す説明図である。
【図５】本発明の第三実施形態に係る表示装置を示す平面図である。
【図６】（Ａ）は本発明の第四実施形態に係わる表示装置を示す平面図、（Ｂ）は本発明の第四実施形態に係わる表示装置の配線を示す平面図である。
【図７】本発明の第四実施形態に係わる表示装置の図６（Ａ）中のVI-VI線に沿った断面図である。
【図８】本発明の第五実施形態に係わる表示装置を示す平面図である。
【符号の説明】
【００７６】
１００、２００、４００    可撓性基板  
１０２、２０２、４０２    第一電極
１０４、２０４、４０６    絶縁性隔壁
１０６、２０６、４０８    有機層
１０８、２０８、４１０    第二電極
１１０、２１２、４１２    絶縁性封止膜
１１２、２１４、３００、４１４    第一可撓性配線部材
１１４、２１６、３０２、４１８    第二可撓性配線部材
２１８                            第三可撓性配線部材
４１６                            第四可撓性配線部材
１１６、２２０、２２４、２２６、２２８、４２０  配線
１１８、２２２、４２２    表示画素
１２０、１２２、２２８  引き出し配線
２２４、２２６、４２６  引き出し配線
１２４、２３０、４３０    表示部
２３２、２３４            配線電極
【図１】
2008147073.tif 000003
【図２】
2008147073.tif 000004
【図３】
2008147073.tif 000005
【図４】
2008147073.tif 000006
【図５】
2008147073.tif 000007
【図６】
2008147073.tif 000008
【図７】
2008147073.tif 000009
【図８】
2008147073.tif 000010